(57)【要約】【課題】ビデオ同期信号のチップを完全に除去するための装置及び方法を与える。【解決手段】ビデオ同期信号除去回路であって、入力ビデオ信号の同期信号成分が検出されると、実質的に同期信号間隔の間は、ビデオブラックレベルに対応する基準信号で置換される、ところの回路。【選択図】図２
2006340362.tif 000002
【特許請求の範囲】
【請求項１】
ビデオ同期信号除去回路を含む装置であって、
ビデオブラックレベルに対応する基準信号を送信するための基準電極と、
ひとつまたはそれ以上の出力信号を送信するためのひとつまたはそれ以上の出力電極と、
ひとつまたはそれ以上のビデオ信号を送信するためのひとつまたはそれ以上のビデオ信号電極であって、そのビデオ信号の少なくともひとつが、信号遷移の少なくとも前縁と後縁の間に、前記ビデオブラックレベルと実質的に等しくないひとつまたはそれ以上の信号値を有する同期信号成分を含む、ところのビデオ信号電極と、
前記ひとつまたはそれ以上のビデオ信号電極の少なくともひとつに接続され、前記同期信号成分に応答して表明及び非表明状態を有する制御信号を与える制御回路であって、前記制御信号は、同期信号成分の信号遷移の前縁の始めの部分が第１閾値を超えたことに応答して表明状態を与え、それに続いて前記制御信号は、同期信号成分の信号遷移の前縁の後方部分が前記第１閾値より高い第２閾値を超えたことに応答して所定の時間間隔の間表明状態のままであり、前記所定の時間間隔は、同期信号成分の信号遷移の前縁の後方部分が前記第２閾値を超えることにより始まり、同期信号成分の信号遷移の前縁及び後縁の最後のひとつの後に終り、前記制御信号は、同期信号成分の信号遷移の前縁の後方部分が前記第２閾値を超えなかったことに応答して非表明状態を与える、ところの制御回路と、
前記基準電極、前記ひとつまたはそれ以上の出力電極、前記ひとつまたはそれ以上のビデオ信号電極及び前記制御回路に接続され、前記制御信号に応答して、前記制御信号が表明状態の間に前記基準信号をひとつまたはそれ以上の出力信号として送信し、それ以外はひとつまたはそれ以上のビデオ信号を出力信号として送信する信号ルーティング回路と、
から成る装置。
【請求項２】
請求項１に記載の装置であって、前記制御回路は、
少なくとも第１及び第２信号パルスを与えることにより前記同期信号成分に応答する信号検出回路であって、前記第１信号パルスは前縁及び後縁の後にそれぞれ表明及び非表明状態を有し、前記第２信号パルスは前縁及び後縁の後にそれぞれ表明及び非表明状態を有し、前記第１信号パルスの前縁は同期信号成分の信号遷移の前縁の始めの部分に応答して始まり、前記第２信号パルスの前縁は同期信号成分の信号遷移の後方部分が前記第２閾値を超えたことに応答して始まる、ところの信号検出回路と、
前記信号検出回路に接続され、前記制御信号を与えることにより前記第１及び第２信号パルスに応答するパルス処理回路と、
を含む装置。
【請求項３】
請求項２に記載の装置であって、前記第１信号パルスの後縁は、同期信号成分の信号遷移の前縁に続く同期信号成分の信号遷移の後縁に応答して始まる、ところの装置。
【請求項４】
請求項２に記載の装置であって、前記第２信号パルスの後縁は、前記同期信号成分の信号遷移の前縁及び後縁の各々と実質的に無関係である、ところの装置。
【請求項５】
請求項２に記載の装置であって、前記信号検出回路は、同期信号成分並びに第１及び第２閾値電圧に応答する電圧比較回路から成る、ところの装置。
【請求項６】
請求項２に記載の装置であって、前記信号検出回路は、
前記少なくともひとつのビデオ信号電極に接続され、前記第１信号パルスを与えることにより同期信号成分に応答する第１信号検出回路と、
前記少なくともひとつのビデオ信号電極に接続され、前記第２信号パルスを与えることにより同期信号成分に応答する第２信号検出回路と、
から成るところの装置。
【請求項７】
請求項２に記載の装置であって、前記パルス処理回路は、論理OR演算に従い、第１及び第２信号パルス表明状態を組み合わせることにより、前記制御信号に表明状態を与えるべく第１及び第２信号パルスに応答する論理回路から成る、ところの装置。
【請求項８】
請求項１に記載の装置であって、前記信号ルーティング回路は、信号スイッチング回路から成る、ところの装置。
【請求項９】
ビデオ同期信号除去回路を含む装置であって、
ビデオブラックレベルに対応する基準信号を送信するための基準電極と、
ひとつまたはそれ以上の出力信号を送信するためのひとつまたはそれ以上の出力電極と、
ひとつまたはそれ以上のビデオ信号を送信するためのひとつまたはそれ以上のビデオ信号電極であって、そのビデオ信号の少なくともひとつが、信号遷移の少なくとも前縁と後縁の間に、前記ビデオブラックレベルと実質的に等しくないひとつまたはそれ以上の信号値を有する同期信号成分を含む、ところのビデオ信号電極と、
前記少なくともひとつのビデオ信号電極に接続され、前記同期信号成分に応答して、表明及び非表明状態を有する第１信号パルスを与える第１信号検出回路と、
前記少なくともひとつのビデオ信号電極に接続され、前記同期信号成分に応答して、表明及び非表明状態を有する第２信号パルスを与える第２信号検出回路と、
前記第１及び第２信号検出回路に接続され、前記第１及び第２信号パルスに応答して表明及び非表明状態を有する制御信号を与える制御回路であって、前記制御信号は、前記第１信号パルスの表明状態に応答して表明状態を与え、それに続いて前記制御信号は、前記第２信号パルスの表明状態に応答して所定の時間間隔の間表明状態のままであり、前記所定の時間間隔は、前記第２信号パルス表明状態により始まり、同期信号成分の信号遷移の前縁及び後縁の最後のひとつの後に終り、前記制御信号は、第１及び第２信号パルスの非表明状態に応答して非表明状態を与える、ところの制御回路と、
前記基準電極、前記ひとつまたはそれ以上の出力電極、前記ひとつまたはそれ以上のビデオ信号電極及び前記制御回路に接続され、前記制御信号に応答して、前記制御信号が表明状態の間に前記基準信号をひとつまたはそれ以上の出力信号として送信し、それ以外はひとつまたはそれ以上のビデオ信号を出力信号として送信する信号ルーティング回路と、
から成る装置。
【請求項１０】
請求項９に記載の装置であって、
前記第１信号パルスの表明及び非表明状態は、それぞれ前縁及び後縁に従い、
前記第２信号パルスの表明及び非表明状態は、それぞれ前縁及び後縁に従い、
前記第１信号パルスの前縁は、同期信号成分の信号遷移の前縁の始めの部分が第１閾値を超えたことに応答して始まり、
前記第２信号パルスの前縁は、同期信号成分の信号遷移の前縁の後方部分が前記第１閾値より高い第２閾値を超えたことに応答して始まる、
ところの装置。
【請求項１１】
請求項１０に記載の装置であって、前記第１信号パルスの後縁は、同期信号成分の信号遷移の前縁に続く同期信号成分の信号遷移の後縁に応答して始まる、ところの装置。
【請求項１２】
請求項１０に記載の装置であって、前記第２信号パルスの後縁は、同期信号成分の信号遷移の前縁及び後縁の各々と実質的に無関係である、ところの装置。
【請求項１３】
請求項９に記載の装置であって、前記第１及び第２信号検出回路は、同期信号成分並びに第１及び第２閾値電圧に応答する第１及び第２電圧比較回路から成る、ところの装置。
【請求項１４】
請求項９に記載の装置であって、前記制御回路は、論理OR演算に従い、第１及び第２信号パルス表明状態を組み合わせることにより、前記制御信号に表明状態を与えるべく第１及び第２信号パルスに応答する論理回路から成る、ところの装置。
【請求項１５】
請求項９に記載の装置であって、前記信号ルーティング回路は信号スイッチング回路から成る、ところの装置。
【請求項１６】
ビデオ同期信号を除去するための方法であって、
ビデオブラックレベルに対応する基準信号を受信する工程と、
ひとつまたはそれ以上のビデオ信号を受信する工程であって、そのビデオ信号の少なくともひとつが、信号遷移の少なくとも前縁と後縁の間に、前記ビデオブラックレベルと実質的に等しくないひとつまたはそれ以上の信号値を有する同期信号成分を含む、ところの工程と、
前記同期信号成分に応答して、表明及び非表明状態を有する制御信号を生成する工程であって、前記制御信号は、同期信号成分の信号遷移の前縁の始めの部分が第１閾値を超えたことに応答して表明状態を与え、それに続いて前記制御信号は、同期信号成分の信号遷移の前縁の後方部分が前記第１閾値より高い第２閾値を超えたことに応答して所定の時間間隔の間表明状態のままであり、前記所定の時間間隔は、同期信号成分の信号遷移の前縁の後方部分が前記第２閾値を超えることにより始まり、同期信号成分の信号遷移の前縁及び後縁の最後のひとつの後に終り、前記制御信号は、同期信号成分の信号遷移の前縁の後方部分が前記第２閾値を超えなかったことに応答して非表明状態を与える、ところの工程と、
前記制御信号に応答する工程であって、前記制御信号が表明状態の間に前記基準信号をひとつまたはそれ以上の出力信号として送信し、それ以外はひとつまたはそれ以上のビデオ信号を出力信号として送信する、ところの工程と、
から成る方法。
【請求項１７】
請求項１６に記載の方法であって、前記同期信号成分に応答して、表明及び非表明状態を有する制御信号を生成する工程は、少なくとも第１及び第２信号パルスを生成する工程から成り、
前記第１信号パルスは前縁及び後縁に従う表明及び非表明状態を含み、
前記第２信号パルスは前縁及び後縁に従う表明及び非表明状態を含み、
第１信号パルスの前縁は同期信号成分の信号遷移の前縁の前方部分に応答して始まり、
第２信号パルスの前縁は同期信号成分の信号遷移の前縁の後方部分に応答して始まる、
ところの方法。
【請求項１８】
請求項１７に記載の方法であって、少なくとも第１及び第２信号パルスを生成する工程は、同期信号成分の信号遷移の前縁に続く同期信号成分の信号遷移の後縁に応答して、第１信号パルスの後縁を開始する工程から成る、ところの方法。
【請求項１９】
請求項１７に記載の方法であって、前記第２信号パルスの後縁は、同期信号成分の信号遷移の前縁及び後縁の各々と実質的に無関係である、ところの方法。
【発明の詳細な説明】
【技術分野】
【０００１】
本発明は、ビデオ信号成分を処理するための回路に関し、特に、ビデオ信号成分から同期信号を除去するための回路に関する。
【背景技術】
【０００２】
周知のように、コンピュータモニター及び益々増加する多くの高品質テレビは、GBR（緑、青、赤）、YPbPr（ルミナンス、青色差、赤色差）のようなビデオ信号成分形式の信号を表示する。典型的に、最初の３つのチャネル（例えば、緑及びルミナンス信号）はビデオ（緑またはルミナンス）及び同期（水平及び垂直）成分が含まれる複合信号を含む。また周知のように、ビデオ信号成分に対する米国家電協会（CEA）標準（例えば、CEA-770.1-C、CEA-770.2-C、CEA-770.3-C）は、一方の極信号ピーク（例えば、最小または下側）が同期信号成分のチップであり、他方の極信号ピーク（例えば最大または上側）がビデオ信号成分の最大レベル、すなわち、白であるところの、１ボルトのピークツーピーク信号であるような同期化成分を含むビデオ成分を特定する。例えば、CEA-770.1-C標準と適合するこれらの電圧レベルは、それぞれ-286mV及び+714mVであり、CEA-770.2-C及びCEA-770.3-C標準に対して、電圧レベルはそれぞれ-300mV及び+700mVである（これら３つの標準すべてに対して、残り２つの信号成分Pb及びPrに対する電圧レベルは、-350mV及び+350mVである。）。
【発明の開示】
【発明が解決しようとする課題】
【０００３】
上記標準内での良好な動作は、同期信号の変位、または“チップ”の除去をしばしば要求する。ひとつの従来技術は、同期信号成分、例えば、ルミナンスY信号を含む信号を基準ビデオブラックレベルにまたはそれ以上に固定させることにより、同期信号チップを除去する。しかし、その技術は同期信号チップを完全には除去できず、しばしばオリジナル同期信号チップに関連する不所望の残留信号成分を生成するために、ビデオ信号成分と類似の高品位テレビ(HDTV)で使用される３レベル同期信号には問題がある。
【課題を解決するための手段】
【０００４】
本発明に従い、入力ビデオ信号の同期信号成分が検出されると同時に、実質的に同期信号間隔中、ビデオブラックレベルに対応する基準信号と置換されるビデオ同期信号除去回路が与えられる。
【０００５】
本発明のひとつの態様に従い、ビデオ同期信号除去回路は、基準電極、出力電極、ビデオ信号電極、制御回路及び信号ルーティング回路を含む。基準電極はビデオブラックレベルに対応する基準信号を送信する。ひとつまたはそれ以上の出力電極はひとつまたはそれ以上の出力信号を送信する。ひとつまたはそれ以上のビデオ信号電極は、ひとつまたはそれ以上のビデオ信号を送信し、そのビデオ信号の少なくともひとつは、信号遷移の前縁と後縁との間に、ビデオブラックレベルと実質的に等しくないひとつまたはそれ以上の信号を有する同期信号成分を含む。制御回路はひとつまたはそれ以上のビデオ信号電極の少なくともひとつに接続され、同期信号成分に応答して、表明及び非表明状態を有する制御信号を与える。ここで、制御信号は、同期信号成分の信号遷移の前縁の始めの部分が第１閾値を超えたことに応答して表明状態を与え、続いて制御信号は、同期信号成分の信号遷移の前縁の後方部分が第１閾値より高い第２閾値を超えたことに応答して、所定の時間間隔中、表明状態のままである。ここで、所定の時間間隔は、同期信号成分の信号遷移の前縁の後方部分が第２閾値を超えたことにより始まり、同期信号成分の信号遷移の前縁及び後縁の少なくともひとつの後に終了する。制御信号は、同期信号成分の信号遷移の前縁の後方部分が第２閾値を超えることができなかったことに応答して、非表明状態を与える。信号ルーティング回路は、基準電極、ひとつまたはそれ以上の出力電極、ひとつまたはそれ以上のビデオ信号電極、及び制御回路に接続され、制御信号に応答して、実質的に制御信号の表明状態中は、ひとつまたはそれ以上の出力信号として、基準信号を送信し、それ以外はひとつまたはそれ以上のビデオ信号を送信する。
【０００６】
本発明の他の実施例に従い、ビデオ同期信号除去回路は、基準電極、出力電極及びビデオ信号電極、信号検出回路、制御回路及び信号ルーティング回路を含む。基準電極は、ビデオブラックレベルに対応する基準信号を送信する。ひとつまたはそれ以上の出力電極は、ひとつまたはそれ以上の出力信号を送信する。ひとつまたはそれ以上のビデオ信号電極は、ひとつまたはそれ以上のビデオ信号を送信し、ビデオ信号の少なくともひとつは、少なくとも信号遷移の前縁と後縁間に、ビデオブラックレベルと実質的に等しくないひとつまたはそれ以上の信号値を有する同期信号成分を含む。第１信号検出回路は、少なくともひとつのビデオ信号電極に接続され、表明及び非表明状態を有する第１信号パルスを与えることにより同期信号成分に応答する。第２信号検出回路は、少なくともひとつのビデオ信号電極に接続され、表明及び非表明状態を有する第２信号パルスを与えることにより同期信号成分に応答する。制御回路は第１及び第２信号検出回路に接続され、第１及び第２信号パルスに応答して、表明及び非表明状態を有する制御信号を与える。ここで、制御信号は第１信号パルス表明状態に応答して表明状態を与え、続いて、第２信号パルス表明状態に応答して所定の時間間隔の間、表明状態のままである。ここで、所定の時間間隔は第２信号パルス表明状態により開始し、同期信号成分の信号遷移の前縁及び後縁の少なくともひとつの後に終了する。制御信号は、第１及び第２信号パルス非表明状態に応答して非表明状態を与える。信号ルーティング回路は基準電極、ひとつまたはそれ以上の出力電極、ひとつまたはそれ以上のビデオ信号電極、及び制御回路に接続され、制御信号に応答して、実質的に制御信号表明状態の間に、ひとつまたはそれ以上の出力信号として、基準信号を送信し、それ以外はひとつまたはそれ以上のビデオ信号を送信する。
【０００７】
本発明のさらに他の実施例に従い、ビデオ同期信号を除去するための方法は、
ビデオブラックレベルに対応する基準信号を受信する工程と、
少なくとも信号遷移の前縁と後縁との間に、ビデオブラックレベルと実質的に等しくないひとつまたはそれ以上の信号値を有する同期信号成分を含むところのひとつまたはそれ以上のビデオ信号を受信する工程と、
同期信号成分に応答して、表明及び非表明状態を有する制御信号を生成する工程であって、制御信号は、同期信号成分の信号遷移の前縁の始めの部分が第１閾値を超えたことに応答して表明状態を与え、その後制御信号は、同期信号成分の信号遷移の前縁の後方部分が第１閾値より高い第２閾値を超えたことに応答して、所定の時間間隔中、表明状態のままであり、ここで、所定の時間間隔は同期信号成分の信号遷移の前縁の後方部分が第２閾値を超えたことにより始まり、同期信号成分の信号遷移の前縁及び後縁の少なくともひとつの後に終了し、制御信号は、同期信号成分の前縁の後方部分が第２閾値を超えられなかったことに応答して、非表明状態を与えるところの工程と、
制御信号に応答して、実質的に制御信号の表明状態の間に、ひとつまたはそれ以上の出力信号として、基準信号を送信し、それ以外はひとつまたはそれ以上のビデオ信号を送信する工程と、
を含む。
【発明を実施するための最良の形態】
【０００８】
図面を参照した以下の詳細な説明は、本発明の実施例である。この説明は例示に過ぎず、本発明の態様を制限するものではない。この説明は当業者が発明を実施することができる程度に十分詳細であり、本発明の思想または態様から離れることなくさまざまな変更を伴う他の実施例が可能である。
【０００９】
この開示全体を通じて、文脈から特に指示が無い限り、説明される個々の回路エレメントは単一または複数である。例えば、用語“回路”は、能動的及び／または受動的な単一または複数のコンポーネントを含み、記述される機能を与えるように接続または一緒に（例えば、ひとつまたはそれ以上の集積回路チップとして）構成される。付加的に、用語“信号”はひとつまたはそれ以上の電流、ひとつまたはそれ以上の電圧、またはデータ信号を意味する。図面内において、同じまたは関連するエレメントは同じまたは関連する英数字符号を有する。また、本発明は離散的電子回路（好ましくは、ひとつまたはそれ以上の集積回路チップ形式）を使って実行する文脈で議論されるが、この回路の任意の部分の機能は、信号周波数または処理すべきデータ速度に応じて適当にプログラムされたひとつまたはそれ以上のプロセッサを使って実行されてもよい。
【００１０】
図１Ａ及び１Ｂを参照して、本発明に従うビデオ信号クランプは同期信号チップの発生を検出することにより水平同期信号成分を検出し、クランプ間隔中にビデオ信号をクランプするためにこの検出信号を使用する。周知のように、“バックポーチ”として知られるこのクランプ間隔は、適用可能なビデオ信号標準に従うビデオブラックレベル（典型的にゼロボルト）にある。周知のように、下側のVs-及び上側のVs+同期チップの電圧レベルは、CEA-770.1-C標準に対して-286及び+286ｍVであり、CEA-770.2-C標準及びCEA-770.3-C標準に対して-300及び+300ｍVである。クランプ間隔のタイミングを確立するためのタイミングを決定するために同期信号チップを使うことにより、このようなビデオ信号クランプは複数のビデオ信号標準に従うビデオ信号をクランプするために使用される。
【００１１】
図２を参照して、本発明のひとつの実施例10に従う同期信号除去回路は、レベル検出回路12、同期信号検出14、パルス処理回路16、基準電圧ソース（ビデオ基準ブラックレベルに等しい）18、及び信号ルーティング回路20を含み、これらはすべて図示されるように相互接続されている。好適実施例において、信号ルーティング回路20は、個々のビデオ信号成分Y、Pb、Prに対する個々のルーティング回路20ｙ、20ｂ、20ｒを含む。このルーティング回路20ｙ、20ｂ、20ｒは、スイッチング回路または、所望により多くの種類の周知の多重化回路の形式で実行される。基準電圧ソース18は周知の任意の多くの方法で実行され、バンドギャップ電圧ソースのような安定電圧基準ソースを含む。
【００１２】
以下でより詳細に説明するように、レベル検出回路12は、同期信号の前縁の前の部分の間に発生するような、入力ビデオ信号Yのレベルの変化を検出する。このようなビデオ信号レベルが検出された場合、信号パルス13が表明され、パルス処理回路16に与えられる。同様に、同期信号検出回路14は、その信号の前縁の後ろの部分の間に、同期信号のレベルを検出することにより同期信号チップの発生を検出する。検出と同時に、他の信号パルスが所定の時間間隔の間表明され、パルス処理回路16に与えられる。パルス処理回路16は、これらの表明信号パルス13、15を処理、例えば結合し、検出信号パルス13、15の結合された持続時間中に表明される制御信号17を与える。この制御信号17の表明中、信号ルーティング回路20y、20b、20rは、出力信号21y、21b、21rとして、基準電圧ソース18からの基準電圧19を選択しかつ与える。制御信号17の非表明中（例えば、ビデオ信号成分Y、Pb、Prのアクティブなビデオ部分の間）、信号ルーティング回路20y、20b、20rは、出力信号21y、21b、21rとして、ビデオ信号成分Y、Pb、Prを選択しかつ与える。
【００１３】
図３及び４を参照すると、同期信号間隔は信号のアクティブなビデオ部分以前の時刻ｔ1に始まる。上記したように、時刻ｔ2での同期信号前縁での非常に早い段階で、同期信号のこのレベルがレベル検出回路12により検出され、それはその後出力信号13を表明する。同期信号前縁の後の、例えば、ほぼ半分の振幅点である時刻ｔ3において、同期信号チップのレベルが同期信号検出回路14により検出され、それが出力信号15を表明する。これら２つの信号13、15は、パルス処理回路16により処理され、例えば、論理OR関数に従って結合されて、出力信号17を表明する。上記したように、基準電圧19が出力信号21y、21b、21rを与えるのに使用されるのは、制御信号17のこの表明時間間隔ｔ3〜ｔ4の間である。
【００１４】
レベル検出回路12からの表明信号13の時間は短いのが好ましい。その理由は、同期信号の変位が実際にはまだ始まらないが、その代わり十分な信号ノイズが、レベル検出回路12をトリガーするのに十分な信号レベルの変化を生じさせた場合、同期信号検出回路14に関連するより大きい閾値を超えることなく、信号15の表明を防止できるからである。したがって、基準電圧19は検出信号13の非常に短い時間中のみ選択され、それにより信号ルーティング回路20y、20b、20rのスイッチング動作による小さいグリッチのみが出力信号21y、21b、21rに生じる。
【００１５】
図３及び４に示されるように、同期信号検出回路14からの信号15の表明は、時刻ｔ3に始まり、同期信号チップの終了後の所望の時間ポイントであってかつ時刻ｔ5での同期信号間隔の終了前である時刻ｔ4（アクティブなビデオ信号部分の再開前）に終了する。多くの周知技術に従い、信号15の表明間隔は、コンピュータ回路または同期信号検出回路14内の容量制御遅延を使って決定される。
【００１６】
図４に示されるように、本発明のひとつの実施例に従い、同期信号検出回路14により生成される信号15の表明は、同期信号検出回路14内で制御され、それにより、図示されるような表明信号が生成される。しかし、当業者に容易にわかるように、信号15の表明状態は、パルス処理回路16内で制御される制御信号17の表明状態のあらゆる必要な延長または伸長に対して、より短い時間間隔である。
【００１７】
上記説明に基づいて、本発明に従うビデオ同期信号除去回路10は、入力ビデオ信号の同期信号成分の開始を検出し、かつ同期信号間隔の間にブラックビデオレベルに対応する既知の基準電圧と置換することにより、同期信号成分の出力への漏れと同時に入力ビデオ信号の基準ブラックレベルの変動に伴う問題を避けることができる。
【００１８】
本発明の思想及び態様から離れることなく、本発明の構造及び方法に対してさまざまな修正及び変形が可能であることは当業者の知るところである。発明は特定の好適実施例について説明されてきたが、本発明はこのような実施例に限定されるものではない。本発明の態様は特許請求の範囲に基づいて画定されるべきものである。
【図面の簡単な説明】
【００１９】
【図１】図１Ａ及び１Ｂは、それぞれ２レベル及び３レベル同期信号を有するビデオ信号に対する水平同期間隔の信号タイミング図である。
【図２】図２は、本発明のひとつの実施例に従うビデオ同期信号除去回路の関数ブロック図である。
【図３】図３は、本発明に関連するさまざまなタイミングポイントを識別する３レベル同期信号の他の信号タイミング図である。
【図４】図４は、図２の回路内で生成されるさまざまな信号を示す信号タイミング図である。
【図１】
2006340362.tif 000003
【図２】
2006340362.tif 000004
【図３】
2006340362.tif 000005
【図４】
2006340362.tif 000006